(57)【要約】【課題】  加熱手段で加熱されて復管を戻る湯に低温の水を混合して所望の温度の湯を作成することができる貯湯式給湯機を提供する。【解決手段】  貯湯タンク１と、貯湯タンク１の水を加熱するための加熱手段２と、貯湯タンク１から加熱手段２へ水を搬送するための往管２１及び加熱手段２から貯湯タンク１へ加熱した湯を搬送するための復管２２を備え、貯湯タンク１の湯を吐出するための高温用の給湯管４ａを設け、復管２２の途中から中温用の給湯管４ｂを分岐して設け、前記中温用の給湯管４ｂの途中に混合弁４３を設けて該混合弁４３に給水管３を接続した。【選択図】        図１
2006349214.tif 000002
【特許請求の範囲】
【請求項１】
貯湯タンクと、貯湯タンクの水を加熱するための加熱手段と、貯湯タンクから加熱手段へ水を搬送するための往管及び加熱手段から貯湯タンクへ加熱した湯を搬送するための復管を備え、貯湯タンクの湯を吐出するための高温用の給湯管を設け、復管の途中から中温用の給湯管を分岐して設け、前記中温用の給湯管の途中に混合弁を設けて該混合弁に給水管を接続して成ることを特徴とする貯湯式給湯機。
【請求項２】
前記混合弁として自己温調機能を有する混合弁を設けて成ることを特徴とする請求項１記載の貯湯式給湯機。
【発明の詳細な説明】
【技術分野】
【０００１】
本発明は、貯湯タンクに湯水を貯める貯湯式給湯機に関する。
【背景技術】
【０００２】
従来より給湯機として貯湯式給湯機が用いられている（例えば特許文献１参照）。貯湯式給湯機は、貯湯タンクと、貯湯タンクの水を加熱するための加熱手段と、貯湯タンクから加熱手段へ水を搬送するための往管及び加熱手段から貯湯タンクへ加熱した湯を搬送するための復管を備え、貯湯タンクの湯を吐出するための高温用の給湯管と中温用の給湯管とを貯湯タンクに接続してある。貯湯タンク内には温度センサー（図示せず）が設けてあり、貯湯タンク内の湯水の温度を管理している。
【０００３】
高温の湯を利用するには、高温用の給湯管を介して貯湯タンク内の高温の湯をそのまま供給することで利用しており、中温の湯を利用するには、混合弁の開度を調整することで貯湯タンクからの高温の湯と給水管からの低温の水とを適当な割合で混合して所望の温度の湯を作成し、これを利用している。
【０００４】
このような貯湯式給湯機においては、例えば大量の湯を利用する際には、加熱手段にて加熱すると同時に貯湯タンク内の湯を利用することとなるが、加熱手段にて加熱した湯を貯湯タンクに戻さずに直接利用する方がロスが小さく効率がよい。しかしながら、高温の湯を利用する場合に復管を戻る湯を直接利用しようとすると、復管を戻る湯の温度のばらつきがそのまま利用する湯の温度のばらつきとなってしまうため、温度管理されている貯湯タンク内の湯を利用せざるを得ないが、中温の湯を利用する場合には、復管を戻る湯の温度にばらつきがあっても途中で混合する低温の水の割合を適当に調節すれば所望の温度の湯を作成することが可能となるものであった。
【０００５】
またこの時、配管に温度センサーを設けて湯・水の温度を計測し、これを基に混合する湯・水量の割合をフィードバック制御により制御すると応答性が悪く所望の温度の湯を作成することができないため、応答性を向上させる必要があった。
【特許文献１】特開２００３−２１４７１１号公報
【発明の開示】
【発明が解決しようとする課題】
【０００６】
本発明はこのような点に鑑みなされたものであって、その目的とするところは、加熱手段で加熱されて復管を戻る湯に低温の水を混合して所望の温度の湯を作成することができる貯湯式給湯機を提供することにある。
【課題を解決するための手段】
【０００７】
上記課題を解決するために請求項１に係る発明にあっては、貯湯タンク１と、貯湯タンク１の水を加熱するための加熱手段２と、貯湯タンク１から加熱手段２へ水を搬送するための往管２１及び加熱手段２から貯湯タンク１へ加熱した湯を搬送するための復管２２を備え、貯湯タンク１の湯を吐出するための高温用の給湯管４ａを設け、復管２２の途中から中温用の給湯管４ｂを分岐して設け、前記中温用の給湯管４ｂの途中に混合弁４３を設けて該混合弁４３に給水管３を接続して成ることを特徴とするものである。このような構成とすることで、加熱手段２で加熱されて復管２２を戻る高温の湯を貯湯タンク１に戻すことなくこれに低温の水を混合することができる。
【０００８】
また、請求項２に係る発明にあっては、請求項１に係る発明において、混合弁４３として自己温調機能を有する混合弁４３を設けて成ることを特徴とするものである。このような構成とすることで、混合する湯・水量の割合をその温度に応じて応答性良く調節することが容易に可能となる。
【発明の効果】
【０００９】
本発明にあっては、加熱手段で加熱されて復管を戻る高温の湯を貯湯タンクに戻すことなく低温の水を混合することができて、ロスの少ない効率良い利用が可能となる。
【発明を実施するための最良の形態】
【００１０】
以下、本発明を添付図面に示す実施形態に基づいて説明する。図１に本発明の貯湯式給湯機の構成図を示す。
【００１１】
貯湯タンク１は、筒状の側面部１ａの上下に略半球状の頂部１ｂ及び底部１ｃを設けた密閉構造となっている。この貯湯タンク１には給水口１１及び吐出口１２を設けるもので、本実施形態では低温の水を供給するための給水口１１を貯湯タンク１の底部１ｃに設け、高温の湯を吐出するための吐出口１２を頂部１ｂに設けてある。給水口１１には、水道等と接続されている給水管３の下流側端部が接続され、この給水管３には給水栓３１及び減圧弁３２を設けて低圧の水を自在に貯湯タンク１内に供給可能となっている。そして給水管３には、給水管３を介して貯湯式給湯機に供給される水の温度及び流量を計測する給水温センサーＴ１及び流量計Ｒ１が設けてある。なお、この給水管３の下流側端部の近傍からは排水バルブ３３を有する排水管３４が設けてあり、貯湯タンク１内の湯水が排水可能となっている。
【００１２】
また、この貯湯式給湯機には制御部（図示せず）が設けてあり、弁（バルブ）や後述する加熱手段２等の駆動・停止を制御するとともに、給水温センサーＴ１、温度センサーＴ２、流量計Ｒ１、流量計Ｒ２等のセンサーが電気的に接続されてその計測値を認識できて、制御部の演算部にて熱量を計算して表示手段にその結果を表示させることができる。
【００１３】
吐出口１２には高温用の給湯管４ａの上流側端部が接続され、高温用の給湯管４ａは下流側端部に使用者が湯を吐出させるための吐湯栓４２が設けてあり、吐湯栓４２を開栓することで貯湯タンク１内の高温の湯をそのまま供給可能となっている。また、高温用の給湯管４ａの上流側端部の近傍からは逃がし弁４５を有する逃がし管４６が設けてある。中温用の給湯管４ｂについては後述する。
【００１４】
この貯湯式給湯機には加熱手段２が設けられる。加熱手段２は、貯湯タンク１内に貯められる湯水を加熱するもので、本実施形態ではヒートポンプを用いるものである。詳述すると、貯湯タンク１の底部１ｃに貯湯タンク１内の底部１ｃの水を加熱手段２へと搬送するための往管２１の上流側端部を接続し、貯湯タンク１の頂部１ｂに加熱手段２で加熱した湯を貯湯タンク１内に戻すための復管２２の下流側端部を接続するもので、往管２１の下流側端部及び復管２２の上流側端部は、加熱手段２の熱交換部にそれぞれ接続されるヘッダー２８に連結されている。図中２９ａは止水栓を示し、２９ｂは逆止弁を示す。また、往管２１及び復管２２には水抜き用弁２３が設けてあるとともに、往管２１には排水バルブ２４を有する排水管２５が分岐してあり、さらに、往管２１と復管２２とを接続するバイパス管２６が接続してある。図中２７は往管２１の途中に設けられて前記バイパス管２６が接続されるバイパス弁を示し、Ｓはタンク過熱防止スイッチを示す。ここで、バイパス弁２７にてバイパス管２６と往管２１の加熱手段２側とを連通させて、往管２１、加熱手段２、復管２２、バイパス管２６、再び往管２１…、と循環させることで、湯を高温にまで加熱することができる。
【００１５】
中温用の給湯管４ｂは前記復管２２の途中から分岐して設けてあり、その途中に混合弁４３を設けると共に混合弁４３に給水管３の分岐管３５を接続し、復管２２からの高温の湯と分岐管３５からの低温の水とを混合して温度調節を行ってから吐出させるようになっている。分岐管３５は、給水管３の給水栓３１及び減圧弁３２の下流側で且つ排水管３４を分岐した部分よりも上流側において分岐しており、その下流側端部は前記混合弁４３に接続してあり、途中に逆止弁３６が設けてある。混合弁４３は、本実施形態においては形状記憶合金により自己温調機能を有する混合弁（例えば日本サーモスタット（株）製  型番：ＴＥ０５０Ａ５３）を用いており、これにより、混合する湯・水量の割合をその温度に応じて応答性良く調節することが容易に可能となる。
【００１６】
また中温用の給湯管４ｂには、混合弁４３より上流側の部分に逆止弁４７が設けてあると共に下流側の部分にサーミスタからなる温度センサーＴ２及び流量計Ｒ２が設けてあり、下流側端部には使用者が湯水を吐出させるための吐出栓４４が設けてある。
【００１７】
貯湯タンク１内には上下方向に複数のサーミスタ等からなる温度センサー（図示せず）が設けてある。貯湯タンク１には上述したように給水口１１を底部１ｃに設けてあり、また、往管２１を底部１ｃに接続するとともに復管２２を頂部１ｂに接続してあるため、貯湯タンク１内においては上方の湯水程その温度が高いが、このとき前記のように温度センサーを上下方向に複数設けたことで、上方からどの位置位までの湯水が高温（例えば９０℃、６０℃、４０℃等）の湯となっているかを把握することができる。
【００１８】
上記のような貯湯式給湯機においては、使用者が吐湯栓４２又は吐出栓４４を開栓して湯を使用するもので、上述したように、高温の湯を使用する時には吐湯栓４２を開栓して高温用の給湯管４ａを介して貯湯タンク１内の湯をそのまま吐出させ、中温（前記高温の湯より低温）の湯を使用する時には吐出栓４４を開栓して、混合弁４３の開度が自動的に調整されて復管２２から中温用の給湯管４ｂに分岐した高温の湯と給水管３（分岐管３５）からの低温の水を混合して所望の温度とした湯を使用する。そして、貯湯タンク１内から湯が吐出されると、給水管３の給水栓３１を開栓して吐出された湯量と同量の水が貯湯タンク１内に補充され、貯湯タンク１内は常に湯水で充満した状態となっている。
【００１９】
以上のような構成にすることで、加熱手段２で加熱されて復管２２を戻る高温の湯を貯湯タンク１に戻すことなく低温の水を混合することができて、ロスの少ない効率良い利用が可能となる。
【図面の簡単な説明】
【００２０】
【図１】本発明の一実施形態の構成図である。
【符号の説明】
【００２１】
１  貯湯タンク
２  加熱手段
２１  往管
２２  復管
４ａ  高温用の給湯管
４ｂ  中温用の給湯管
４３  混合弁
３    給水管
【図１】
2006349214.tif 000003